(57)【要約】【課題】木質感を付与しつつ鍵盤装置の小型、軽量化を図る。【解決手段】鍵構造体１００は、鍵ベース体４０と鍵胴体部ＢＯＤとが一体に結合して構成され、鍵胴体部ＢＯＤは、上板体５０と木製の木質部６０とから成る。鍵ベース体４０の延設部４０ｂには、鍵操作時に鍵動作ガイド７５に案内される被キーガイド部４２が形成される。被キーガイド部４２は、一対の垂下部の左右内壁４２ａと、これら左右内壁４２ａに連設されて、少なくとも左右内壁４２ａの下端位置から木質部６０の下面６０ｄ位置まで押鍵方向に貫通した穴とから構成される。【選択図】図４
2010009077.tif 000002
【特許請求の範囲】
【請求項１】
長尺の鍵ベース体と、該鍵ベース体の上部に固定された木質部と、該木質部の上部に固定的に保持された上板部材とから構成され、鍵盤装置に取り付けられたとき、押鍵操作により回動支点を中心に奏者側端部が回動し、鍵として機能する鍵構造体であって、
前記回動支点を中心に前記奏者側端部が回動するときに該奏者側端部がガイドされるための被ガイド部を有し、
前記被ガイド部は、前記鍵ベース体の自由端部から押鍵方向に垂下した一対の垂下部の左右内壁と、これら左右内壁に連設されて少なくとも前記垂下部の下端位置から前記木質部の下面位置まで押鍵方向に貫通した穴とから構成されることを特徴とする鍵構造体。
【請求項２】
前記上板部材から正面視で前記鍵ベース体に重なるまで前記木質部に沿って延設された樹脂製の前木口部材をさらに有し、該前木口部材は、前記被ガイド部に隣接していることを特徴とする請求項１記載の鍵構造体。
【請求項３】
前記垂下部の上部から鍵表面方向に向かって延設された一対の延設部を有し、前記木質部には、前記延設部に対応する部分にザグリ加工による凹部が設けられていることを特徴とする請求項１または２記載の鍵構造体。
【請求項４】
前記被ガイド部は、前記延設部の前記鍵表面方向の端部を閉じて成る閉面部を有していることを特徴とする請求項３記載の鍵構造体。
【請求項５】
保持部材と、該保持部材に固定された木質部と、奏者側端部に配設された前木口部材とから構成され、押鍵操作により回動する鍵として機能する鍵構造体であって、
前記前木口部材の下端よりも、前記木質部の最下部の方が上方に位置するように、前記木質部が配されたことを特徴とする鍵構造体。
【発明の詳細な説明】
【技術分野】
【０００１】
本発明は、木質部を有する鍵に適用される鍵構造体に関する。
【背景技術】
【０００２】
従来、下記特許文献１、２で示されるように、鍵盤装置に取り付けられ、押鍵操作により回動する鍵として機能する鍵構造体であって、その構成部材に木材等を採用したものが知られている。このような木質系の鍵構造体では、少なくとも、演奏時及び非演奏時に外観となって視認されるいわゆる「見えがかり部位」に木質系材を配することで、木質感が付与され、高級感が得られる。
【先行技術文献】
【特許文献】
【０００３】
【特許文献１】実登第２５１４４８５号公報
【特許文献２】特許第２９０３９５９号公報
【発明の概要】
【発明が解決しようとする課題】
【０００４】
しかしながら、次のような課題があった。
【０００５】
まず、鍵動作を実現するための機能部（例えば、鍵復帰バネ、鍵スイッチアクチュエータ、鍵抜け止め部材）や、鍵及びハンマをそれぞれの回動支点に押しつける側面視Ｓ字状バネ等の機能部は、通常、鍵盤装置において鍵とフレームとの間に設けられる。従って、これら機能部を配置するために、主に上下方向においてある程度の実装スペースが必要となる。
【０００６】
ここで、一般的な合成樹脂製の鍵構造体であれば、複雑な形状を形成するのが容易であるので、上記機能部の実装スペースを形成することも容易である。しかしながら、木質系の鍵構造体では、ソリッドの木からの削り出し等のように、加工により形状を作り出すのが通常であるので、上記機能部の実装スペースを形成することが容易でない。そのため、鍵及びフレーム間の間隔が広く設定され、結果として鍵盤装置の全高が高くなることから、小型化の要請に反するだけでなく、木質部の無駄が多くなることから軽量化の要請にも反するという問題があった。
【０００７】
本発明は上記従来技術の問題を解決するためになされたものであり、その目的は、木質感を付与しつつ鍵盤装置の小型、軽量化を図ることができる鍵構造体を提供することにある。
【課題を解決するための手段】
【０００８】
上記目的を達成するために本発明の請求項１の鍵構造体は、長尺の鍵ベース体と、該鍵ベース体の上部に固定された木質部と、該木質部の上部に固定的に保持された上板部材とから構成され、鍵盤装置に取り付けられたとき、押鍵操作により回動支点を中心に奏者側端部が回動し、鍵として機能する鍵構造体であって、前記回動支点を中心に前記奏者側端部が回動するときに該奏者側端部がガイドされるための被ガイド部を有し、前記被ガイド部は、前記鍵ベース体の自由端部から押鍵方向に垂下した一対の垂下部（４２）の左右内壁と、これら左右内壁に連設されて少なくとも前記垂下部の下端位置から前記木質部の下面位置まで押鍵方向に貫通した穴とから構成されることを特徴とする。
【０００９】
この構成によれば、被ガイド部の上下方向の長さを鍵ベース体の厚み分だけ確保できるので、安定したガイド性が得られ、しかも、木質感を付与しつつ鍵盤装置の小型、軽量化を図ることができる。
【００１０】
また、好ましくは、上記請求項１の構成において、前記上板部材から正面視で前記鍵ベース体に重なるまで前記木質部に沿って延設された樹脂製の前木口部材をさらに有し、該前木口部材は、前記被ガイド部に隣接していることを特徴とする（請求項２）。
【００１１】
この構成によれば、前木口部材は、上板部材から正面視で鍵ベース体に重なるまで木質部に沿って延設されるので、つなぎ目が見えず、外観が良好である。また、つなぎ目がないので、安定したガイド性が得られる。
【００１２】
また、好ましくは、上記請求項１または２の構成において、前記垂下部の上部から鍵表面方向に向かって延設された一対の延設部（４７Ａ、４７Ｂ）を有し、前記木質部には、前記延設部に対応する部分にザグリ加工による凹部（１２１）が設けられている（請求項３）。この構成によれば、被ガイド部の上下方向の長さを鍵ベース体の厚み分と木質部のザグリ加工分だけ確保できるので、より安定したガイド性が得られる。
【００１３】
また、さらに好ましくは、請求項３の構成において、前記被ガイド部は、前記延設部の前記鍵表面方向の端部を閉じて成る閉面部（４７Ｕ）を有している（請求項４）。この構成によれば、被ガイド部の内部に潤滑剤を介在させたとき、閉面部によって、潤滑剤から木質部が遮断されるので、潤滑剤が木質部に浸入することがなく、長期に亘って潤滑性能が維持される。
【００１４】
上記目的を達成するために本発明の請求項５の鍵構造体は、保持部材（６８）と、該保持部材に固定された木質部（６７）と、奏者側端部に配設された前木口部材（８１）とから構成され、押鍵操作により回動する鍵として機能する鍵構造体であって、前記前木口部材の下端（８１ａ）よりも、前記木質部の最下部（６７ａ）の方が上方に位置するように、前記木質部が配されたことを特徴とする。
【発明の効果】
【００１５】
本発明の請求項１によれば、安定したガイド性が得られると共に、木質感を付与しつつ鍵盤装置の小型、軽量化を図ることができる。
【００１６】
本発明の請求項５によれば、木質感を付与しつつ鍵盤装置の小型、軽量化を図ることができる。
【図面の簡単な説明】
【００１７】
【図１】本発明の第１の実施の形態に係る鍵構造体を含む鍵盤装置（鍵盤楽器装置）の断面図である。
【図２】鍵構造体の各位置での断面を示す図である。
【図３】本発明の第１の実施の形態の鍵構造体の他の例を示す図である。
【図４】本発明の第１の実施の形態の鍵構造体の先端部の側面図（図（ａ））、同先端部の底面図（図（ｂ））、同図（ｂ）のＧ−Ｇ線に沿う断面図（図（ｃ））及び同図（ｃ）のＸ１部の拡大図（図（ｄ））である。
【図５】第１の実施の形態の変形例Ｉに係る鍵構造体の先端部の断面図である。
【図６】本発明の第２の実施の形態に係る鍵構造体を含む鍵盤装置の部分断面図である。
【図７】第２の実施の形態の変形例II−１、II−２、II−３、II−４に係る鍵構造体の先端部の右側面図である。
【図８】第２の実施の形態の変形例II−５に係る鍵構造体の先端部の右側面図である。
【図９】第２の実施の形態の変形例II−６に係る鍵構造体の先端部の右側面図である。
【図１０】本発明の第３の実施の形態に係る鍵構造体を含む鍵盤装置の部分断面図である。
【図１１】本発明の第４の実施の形態に係る鍵構造体を含む鍵盤装置の部分断面図である。
【発明を実施するための形態】
【００１８】
以下、本発明の実施の形態を図面を参照して説明する。
【００１９】
（第１の実施の形態）
図１は、本発明の第１の実施の形態に係る鍵構造体を含む鍵盤装置（鍵盤楽器装置）の断面図である。
【００２０】
本発明の第１の実施の形態の鍵構造体１００は、主として楽器として使用される鍵盤装置において押鍵操作により回動する複数の鍵の１つとして機能する。同図はＢ鍵とＣ鍵との間で切断した断面を示す。従って、同図では、Ｂ鍵である１つの鍵構造体１００について、奏者からみて右側面図が表されている。鍵構造体１００は、白鍵に適用されるが、同様に構成したものを黒鍵にも適用してもよい。なお、以降、本鍵盤装置や鍵構造体１００の奏者側を前方と呼称する。
【００２１】
鍵構造体１００は、鍵ベース体４０と鍵胴体部ＢＯＤとが一体に結合して構成され、鍵胴体部ＢＯＤは、上板体５０と木製の木質部６０とから成る。上板体５０は、前部５０ａと、鍵操作面を提供する上板部５０ｂとが樹脂で一体に形成されて成る。木質部６０は、上板体５０の上板部５０ｂとほぼ同じ長さを有し、上板部５０ｂ及び前部５０ａに接着されることで、上板体５０と結合して、鍵胴体部ＢＯＤが構成される。
【００２２】
鍵ベース体４０は、基端部４０ａと、該基端部４０ａから前方に延設された延設部４０ｂとが樹脂部材で一体に形成されて成り、さらに延設部４０ｂには、いずれも鍵機能部の１つ（乃至「他要素係合部」の１つ）である被キーガイド部４２、質量体駆動部４３、鍵アクチュエータ４４及び鍵脱落防止機構部４５が一体に形成されている。延設部４０ｂは、上記鍵胴体部ＢＯＤの長手方向に略平行に、上板体５０の前部５０ａまで延びている。基端部４０ａは、鍵構造体１００の後端部にも相当する。基端部４０ａの後部には回動支点４１が設けられ、鍵構造体１００は、回動支点４１を中心として上下方向に回動自在になっている。質量体駆動部４３の下端部には、円滑な摺動を確保するためのすべり部材４６が装着されている。
【００２３】
一方、鍵構造体１００の下方には、各鍵構造体１００に対応して質量体７１が配設される。質量体７１の被駆動部７１ａは、押鍵操作に応じて、鍵ベース体４０の質量体駆動部４３を介してすべり部材４６により駆動される。これによって、質量体７１が質量体回動軸７２を中心に回動することで、適当な押鍵感触が与えられる。また、本鍵盤装置には、それぞれ２メイク式の第１鍵スイッチ７３、第２鍵スイッチ７４が設けられる。第１鍵スイッチ７３は、鍵ベース体４０の鍵アクチュエータ４４によって押圧駆動されて、押離鍵等の鍵動作を検出する。第２鍵スイッチ７４は、質量体７１に設けられた鍵アクチュエータ７１ｂによって押圧駆動されて、鍵動作を検出する。両鍵スイッチ７３、７４が異なるタイミングでオフタッチを含む鍵動作を検出することから、これらの検出結果を基に多彩な楽音制御が可能となっている。
【００２４】
本鍵盤装置にはまた、鍵動作ガイド７５及び係合部７７が設けられる。鍵構造体１００の被キーガイド部４２は、鍵操作時には、鍵動作ガイド７５に案内されて、鍵構造体１００の鍵並び方向（鍵構造体１００の左右方向）への揺動が抑制される。これら、被キーガイド部４２及び鍵動作ガイド７５に関連する詳細な構成については後述する。鍵脱落防止機構部４５は、係合部７７と係合して、鍵操作時における鍵構造体１００の主として前方への脱落を防止する。
【００２５】
また、質量体回動軸７２近傍から鍵構造体１００の後部に亘って、平面視フォーク形状で側面視Ｓ字状となっているバネ５１が懸架されている。このバネ５１は、鍵構造体１００を後方に押しつけると共に、質量体７１を質量体回動軸７２に押しつけ、鍵構造体１００及び質量体７１がシャーシ１０００から容易に脱落しないようにしている。
【００２６】
図２は、鍵構造体１００の各位置での断面を示す図である。同図（ａ）〜（ｆ）はそれぞれ、図１のＡ−Ａ線〜Ｆ−Ｆ線に沿う断面図である。なお、図２はＢ鍵を例示しているので、隣接する黒鍵（Ａ＃鍵）が配設されるための逃げ部を有することから、鍵構造体１００の幅は、同図（ｂ）〜（ｆ）では奏者からみた左側（側面１００ａ側）が狭くなっている。
【００２７】
図２（ａ）に示すように、鍵構造体１００は、上板体５０の上板部５０ｂと鍵ベース体４０とで木質部６０を挟み込むようにして構成される。鍵ベース体４０の延設部４０ｂの上部には、前部から、延設部４０ｂと基端部４０ａとの接続部近傍に亘って突条部４０ｃが形成される。また、木質部６０には、突条部４０ｃに嵌合的な形状をした溝状凹部６０ｃが形成されている。そして、まず、鍵胴体部ＢＯＤを作成してから、木質部６０の溝状凹部６０ｃに延設部４０ｂの突条部４０ｃを嵌合させ、木質部６０と延設部４０ｂとを接着することで、鍵構造体１００が構成される。
【００２８】
木質部６０は、鍵構造体１００に木質感を付与する役割も果たす。すなわち、押鍵時には、押鍵された鍵の隣の鍵の側面の一部が奏者から見えるが、木製の木質部６０を鍵構造体１００の側面１００ａ、１００ｂに配したことから、奏者にとっては、木質部６０の側面６０ａ、６０ｂが視認され、鍵構造体１００が上面や前面を除いて木材で構成されているかのように見える。これにより、鍵構造体１００に木質感が付与され、高級感が与えられる。
【００２９】
また、図１に示すように、本鍵盤装置には、鍵構造体１００の上方においてパネル部７６が設けられている。パネル部７６は、不図示の各種操作子や表示部を備えると共に、それより後方部分を目隠しする目隠し部としての役割も果たしている。ここで、木質部６０は、鍵胴体部ＢＯＤは、パネル部７６より後方まで延設されているので、鍵胴体部ＢＯＤと鍵ベース体４０の基端部４０ａとの境目が奏者からは見えないようになっており、外観を向上させている。
【００３０】
このように、鍵胴体部ＢＯＤの長手方向における側面に木質部６０の木質面である側面６０ａ、６０ｂを配したので、鍵操作時には奏者から木質部６０が視認され、木質感が付与される。また、長尺の鍵胴体部ＢＯＤと鍵ベース体４０とを一体に動作可能にすると共に、鍵ベース体４０の延設部４０ｂを鍵胴体部ＢＯＤの長手方向に沿って略平行に形成し、さらに延設部４０ｂには、被キーガイド部４２等の、鍵としての機能を発揮する複数の鍵機能部を一体に形成したので、従来のように、木質鍵を採用して木質部分を加工することで鍵機能部を得る場合に比し、それらの機能や形状に関する設計の自由度が高く、加工精度の点でも優れることから、精度の高い鍵機能を確保することが容易である。よって、鍵に木質感を付与しつつ、鍵機能部の設計の自由度を高めて高精度の鍵機能を容易に確保することができる。
【００３１】
しかも、従来の、木の母材表面に樹脂等を貼着した鍵構造体に比し、加工が容易で、均質な鍵構造体を安価に製造することが可能である。よって、低コストで鍵に木質感を付与することができる。
【００３２】
また、鍵ベース体４０を樹脂で形成したので、鍵機能部を含め、設計の自由度、耐久性及び耐摩耗性を高めることができ、鍵機能の一層高い精度を長期に亘って維持することができる。さらに、木質部６０が鍵構造体１００においていわゆる中詰まり状態となっていることから、高剛性が確保される。
【００３３】
また、鍵構造体１００の後端部の回動支点４１と、鍵構造体１００の先端部に相当する上板体５０の前部５０ａとの間であって長手方向における中間部に木質部６０を設けたので、従来のように、アコースティックピアノ用の木製鍵を流用し、回動支点を長手方向における中間位置に設けてシーソー型の鍵として構成することなく、木質感が得られる。また、従来に比し、回動支点より後方部分の長さを短くすることができる。よって、鍵に木質感を付与しつつ、長手方向における小型化及び軽量化を図ることができる。
【００３４】
また、鍵ベース体４０は、回動支点４１と被キーガイド部４２等の「他要素係合部」とを含んで樹脂で一体に形成した樹脂部材で成るので、これら他要素係合部を木質材で構成する場合に比し、容易に高精度が得られ、且つ形状の自由度も高い。しかも、従来のように、鍵構造体を、単に回動支点や他要素係合部を含んで樹脂等で一体に形成しただけであれば、木質感が全く得られないだけでなく、木製鍵に比べれば鍵としての剛性が低いことから、タッチ感にも悪影響が生じる。しかし、本実施の形態では、木質部６０が鍵構造体１００においていわゆる中詰まり状態となっていることから、高剛性が確保される。そして、高剛性により、各他要素係合部に押鍵力が正確に伝わるので、タッチ検出精度向上によるタッチ感向上につながる。また、鍵構造体１００の反り変形の抑制にも寄与する。よって、鍵に木質感を付与しつつ、鍵機能の精度を維持すると共に、剛性を高めることができる。
【００３５】
ところで、木質部６０を、白鍵用の鍵構造体１にのみ設けることで、コストが削減され、しかも側面のうち黒鍵が隣接しない部分においてのみ設けることで、木質部２０を必要最小限の範囲に配して、木質感を維持しつつ一層のコスト削減を図ることができる。
【００３６】
なお、木質感を付与する観点からは、鍵構造体１００の構成は例示したものに限られず、図３（ａ）〜（ｄ）に示すような構成も採用可能である。
【００３７】
図３は、第１の実施の形態の鍵構造体の他の例を示す図である。同図（ａ）〜（ｄ）では、該他の例の図２（ａ）に対応する断面図を示す。
【００３８】
例えば、図３（ａ）の例では、上記上板部５０及び鍵ベース体４０に相当する部分が樹脂で一体に形成されている。すなわち、上板部１０ａと下板部１０ｃとが連結部１０ｂで連結され、断面形状は、「Ｈ」を横倒させた形になっている。この例では、木質部は木質部２０Ｌ、２０Ｒに分けて構成され、連結部１０ｂの左右両側に配設されることで、鍵構造体が構成される。
【００３９】
また、図３（ｂ）の例では、樹脂製の上板部３１から下方に向けて突条部３１ａを設ける一方、連結部３２ａと下板部３２ｂとを樹脂で一体に形成し、連結部３２ａの上部には突条部３１ａに嵌合的な溝状凹部３２ａａを設ける。そして、上板部３１の突条部３１ａを連結部３２ａの凹部３２ａａに接着嵌合させ、図３（ａ）の例と同様に木質部２０Ｌ、２０Ｒを配設することで、一体に結合した鍵構造体が構成される。
【００４０】
また、図３（ｃ）に示すように、２本の連結部３３ｂ、３３ｃで、上板部３３ａと下板部３３ｄ、３３ｅを連結するように樹脂で一体に形成してもよい。この場合は、両連結部３３ｂ、３３ｃ間に凹部３５が形成される。そして、上記木質部２０Ｌ、２０Ｒより薄い木質部３４Ｌ、３４Ｒが連結部３３ｂ、３３ｃの外側に配設されることで、鍵構造体が構成される。
【００４１】
また、図３（ｄ）に示すように、いずれも樹脂製の上板部３６と下板部３８とで木質部３７を上下方向から挟み、接着して、一体に結合した鍵構造体を構成してもよい。
【００４２】
図４（ａ）は、本発明の第１の実施の形態の鍵構造体１００の先端部の側面図である。図４（ｂ）は、同先端部の底面図、図４（ｃ）は、図４（ｂ）のＧ−Ｇ線に沿う断面図、図４（ｄ）は、図４（ｃ）のＸ１部の拡大図である。
【００４３】
鍵構造体１００の先端部は、平面視で幅広となっている（図２（ａ）参照）。すなわち、図４（ａ）に示すように、上板部５０の幅広部５０ｈの下方に、幅広部５０ｈと略同幅の木質部６０の幅広部６０ｈが存在する。そして、図４（ａ）〜（ｃ）に示すように、鍵構造体１００の先端部において、木質部６０の幅広部６０ｈには、略直方体状の凹状逃げ部１２１が下方に開口して形成される。凹状逃げ部１２１は、例えば座グリ加工により形成される。また、凹状逃げ部１２１に対応する鍵ベース体４０の部分には、被キーガイド部４２に連接して凸状嵌合部４７が設けられる。すなわち、被キーガイド部４２は、鍵構造体１００の先端部から押鍵方向に垂下した一対の垂下部であり、回動支点４１を中心に鍵構造体１００が回動するとき、動作ガイドされるためのものである。そして、この一対の垂下部に連接して上方に凸状嵌合部４７が形成される。さらに、この凸状嵌合部４７が凹状逃げ部１２１に嵌合されている。
【００４４】
凸状嵌合部４７は、図４（ｃ）に示すように、水平方向の壁４７Ｕ及び鉛直方向の両壁４７Ａ、４７Ｂで構成される。壁４７Ｕは、木質部６０のザグリ加工した凹状逃げ部１２１の上端部（鍵表面方向端部）にて閉じるように形成され、これにより閉面部を構成している。凸状嵌合部４７の内側に、鍵動作ガイド７５と摺接する凹部４７ａが形成される。この凸状嵌合部４７は、後述するように、「潤滑剤避け機構部」としても機能する。なお、上記凹部４７ａは、鍵ガイド部として構成してもよい。
【００４５】
被キーガイド部４２の構成を言い換えると、次のようになる。すなわち、被キーガイド部４２は、主として、上記一対の垂下部の左右内壁４２ａと、これら左右内壁４２ａに連設されて、少なくとも左右内壁４２ａの下端位置から木質部６０の下面６０ｄ位置まで押鍵方向に貫通した穴とから構成される。被キーガイド部４２はまた、上記一対の垂下部の上部から鍵表面方向に向かって延設された一対の延設部である両壁４７Ａ、４７Ｂを有し、木質部６０には、上記延設部に対応する部分にザグリ加工による凹部である凹状逃げ部１２１が設けられている。
【００４６】
ここで、仮に、鍵動作ガイド７５の高さを、押鍵時において鍵ベース体４０の上面位置にまで抑える程度に小さく形成すれば、凹状逃げ部１２１は不要となる。その場合でも、被キーガイド部の上下方向の長さを鍵ベース体４０の上下方向の厚みの分だけは確保できるので、上記押鍵方向に貫通した穴は、少なくとも、被キーガイド部４２の下端位置から木質部６０の下面６０ｄと同一平面の位置まで貫通していればよい。すなわち、凹部４７ａの下面に相当する位置が木質部６０の下面６０ｄと面一であってもよい。その分だけでも、押鍵動作ガイド機能は、凹部４７ａの下面に相当する位置が鍵ベース体４０の下面と面一である場合に比し、安定する。本実施の形態では、上述したように、凸状嵌合部４７を、木質部６０の凹状逃げ部１２１内に設け、その内部に鍵動作ガイド７５が摺動可能としたので、押鍵動作ガイド機能が一層安定している。
【００４７】
また、図４（ａ）からわかるように、上板体５０の前部５０ａは前木口部材に相当するが、この前部５０ａは、上板体５０から正面視で鍵ベース体４０に重なるまで木質部６０に沿って延設され、被キーガイド部４２に隣接している。これにより、前部５０ａにおけるつなぎ目が正面から見えるようなことがなく、外観が良好である。また、前部５０ａにつなぎ目がないので、鍵動作ガイド時においてひっかかりがなく、被キーガイド部４２の安定したガイド性が得られる。
【００４８】
ここで、図４（ｃ）、（ｄ）に示すように、鍵並び方向における幅の設定は次のようになっている。まず、鍵構造体１００の先端部の幅は、上板部５０の幅広部５０ｈの幅及び木質部６０の幅広部６０ｈの幅に等しく、これを「Ｂ０」とする。また、凹状逃げ部１２１の幅を「Ｗ０」、鍵動作ガイド７５の幅を「Ｂ１」、凸状嵌合部４７の鉛直方向の壁４７Ａ、４７Ｂの幅をそれぞれ「Ｂ２」、「Ｂ３」、凸状嵌合部４７の壁４７Ａ、４７Ｂと木質部６０との間隙を左右両側共に「Ｂ４」とする。すると、凹状逃げ部１２１の幅Ｗ０について、Ｗ０＝Ｂ１＋Ｂ２＋Ｂ３＋Ｂ４＋Ｂ４が成立する。
【００４９】
一般のピアノで採用されている「標準鍵」と呼ばれる鍵の幅広部の幅は、およそ２１〜２３ｍｍであるが、本実施の形態では、Ｂ０＝２２．５ｍｍとする。ところで、鍵動作ガイド７５は、その機能を確実に果たすためには、十分な剛性が必要であるので、その幅Ｂ１は、５．２５ｍｍに設定されている。凸状嵌合部４７の両壁４７Ａ、４７Ｂの幅Ｂ２、Ｂ３は、剛性確保の観点で、いずれも２．５ｍｍに設定されている。また、凹状逃げ部１２１と凸状嵌合部４７との寸法ばらつきを考慮して、間隙Ｂ４の狙い寸法は、０．５ｍｍに設定される。
【００５０】
かかる状況から、適切な強度を有する鍵動作ガイド７５を実装するためには、少なくとも凹状逃げ部１２１の幅Ｗ０を１１．２５ｍｍ以上に設定する必要がある。そこで、本実施の形態では、幅Ｗ０は１１．２５ｍｍに設定され、従って、幅Ｂ０に対して５０％の値に設定されている。
【００５１】
ここで、鍵動作ガイドの十分な剛性を確保する観点で、凹状逃げ部１２１の幅Ｗ０の、鍵構造体１００の先端部の幅Ｂ０に対する比率を５０％以上にすることは、他の幅の鍵についても同様に適用することができる。すなわち、鍵幅に応じて、鍵動作ガイドや凸状嵌合部の壁厚の適切値も変わるので、結局、鍵動作ガイドが適切に機能するために最低限必要な凹状逃げ部１２１の幅Ｗ０は、鍵構造体１００の先端部の幅Ｂ０に対して５０％以上、ということになる。
【００５２】
ところで、木質部６０に凸状嵌合部を設けてそこに収容すべき機能部としては、鍵動作ガイド７５以外に、上記した質量体駆動部４３や鍵アクチュエータ４４のような駆動部のほか、ＬＥＤ等の発光部、静電容量素子等のセンサ部、ピエゾ素子等の検知部等が考えられる。これら、鍵構造体１００とは別部品として構成される機能部のほとんどは、幅Ｗ０の範囲内に収まるサイズであるので、上記５０％以上という設定により、実装できる機能部の種類や範囲が実質的に広がる。
【００５３】
なお、質量体駆動部や鍵アクチュエータ等の機能部は、例えば、上板体５０と一体に形成されて、上板体５０から下方に垂下して設けられる場合がある。この場合は、凹状逃げ部１２１に代えて木質部６０において貫通穴を設け、垂下する機能部が該貫通穴を貫通して垂設されるようにすれば、上記と同様の幅設定を活かすことができる。
【００５４】
一方、凹状逃げ部１２１の幅Ｗ０の最大許容値を検討すると、木質部６０（の幅広部６０ｈ）の加工容易性に基づく制約から定めるのが、木質系の鍵構造体では好ましい。すなわち、木質部６０の幅加工は、通常、回転工具等の切削工具で切削加工によってなされる。ところが、凹状逃げ部１２１の幅Ｗ０を大きく設定したために、木質部６０の側部の肉厚があまりに薄くなると、加工が容易でなくなる。例えば、２ｍｍ以下、特に１ｍｍ程度になると、鍵幅加工の際に当て板を行う等の特殊な加工が必要になったり、木の加工に適した適切な切削条件で加工を行うことが困難になったりする。
【００５５】
かかる事情から、木質部６０を含んだ加工を適切な加工条件で行う観点から、木質部６０の側部の肉厚を最低限２ｍｍ程度確保するのが望ましく、これを考慮すれば、標準鍵では、凹状逃げ部１２１の幅Ｗ０の最大許容値を、約１８ｍｍに設定するのが望ましい。従って、比率でいえば、凹状逃げ部１２１の幅Ｗ０は、鍵構造体１００の先端部の幅Ｂ０に対して８０％以下に設定すれば、ほぼあらゆる鍵幅の鍵構造体に対して適用することができる。各種機能部の実装の自由度の観点を合わせて考えると、結局、幅Ｗ０は、幅Ｂ０に対して５０〜８０％の範囲で設定するのが好ましいといえる。
【００５６】
また、上板部５０と、凸状嵌合部４７の水平方向の壁４７Ｕとの間に、木質部６０の肉厚を数ｍｍ確保したので、上板部５０と木質部６０との接着により上板部５０の上面の窪みが生じることを防止し、演奏面の均質化により、良好な外観を確保するだけでなく、演奏時における違和感を少なくすることができる。
【００５７】
ところで、鍵動作ガイド７５の幅はＢ１であって、凸状嵌合部４７の凹部４７ａの幅とほぼ同じである。従って、鍵動作ガイド７５と凹部４７ａとが円滑に摺接するために、鍵動作ガイド７５及び凹部４７ａ間には潤滑剤（図示せず）が設けられる。ここで、凸状嵌合部４７は、凹部４７ａ内の潤滑剤と木質部６０の主に凹状逃げ部１２１との間を遮断し、潤滑剤が木質部６０側に浸入しないようにする「潤滑剤避け機構部」の役割を果たす。しかも、潤滑剤は、鍵動作ガイド７５と凹部４７ａとでほぼ密閉状態とされ、揮発することがほとんどない。これらにより、木質部６０の変色を防止できるだけでなく、潤滑剤が、拡散、変質により正常に機能しなくなることが防止される。
【００５８】
ここで、上記特許文献１で示される鍵構造体でも、木質部に設けられた凹部内に横振れ防止ピンが収容されるように構成されている。しかし、横振れ防止ピンは、その外周に被嵌されたプラスチックカバーの穴に対して摺動するように構成されているので、ここに潤滑剤を塗布することになる。そうすると、潤滑剤が常に空気に触れ、揮発したり変質したりして、やがて横振れ防止ピンが円滑に機能しなくなると考えられる。従って、潤滑効果を長期間維持する観点では、本発明の第１の実施の形態の構成の方が有利である。
【００５９】
なお、凸状嵌合部４７の潤滑剤避け機構部としての機能を果たすのは、鍵動作ガイド７５に対してだけではない。すなわち、機能部が、凹状逃げ部１２１内において押離鍵動作時に凹部４７ａに対して摺動関係になる場合であって、その機能部に潤滑剤塗布される場合は、その機能部に対する凸状嵌合部４７の潤滑剤避け機構部としての機能が有効である。
【００６０】
本実施の形態によれば、木質部６０により木質感が付与される。また、幅広部６０ｈに形成される凹状逃げ部１２１の幅Ｗ０が、鍵構造体１００の先端部の幅Ｂ０に対して５０％以上８０％以下の範囲で設定されたので、良好な加工性を維持しつつ、鍵構造体とは別部品として構成される機能部の実装の自由度を高めることができる。また、凸状嵌合部４７により、鍵動作ガイド７５に付着している潤滑剤から木質部６０が遮断されるので、長期に亘って潤滑性能を維持することができる。
【００６１】
〈第１の実施の形態の変形例〉
図５は、本実施の形態の変形例Ｉに係る鍵構造体の先端部の断面図であり、図４（ｃ）に対応している。
【００６２】
図４（ａ）〜（ｄ）の例では、上板体５０と鍵ベース体４０とは別体で構成されたが、図５に示す変形例Ｉでは、鍵ベース体４０に相当する部材がなく、木質部６０に相当する木質部５２が上板体５０に相当する上板体４８の上部下面に固定される。そして、凹状逃げ部１２１に相当する逃げ部１２２が木質部５２に設けられる。逃げ部１２２の幅の設定は、凹状逃げ部１２１と同様であり、上板体４８乃至木質部５２の幅広部の幅に対して５０〜８０％の範囲で設定される。鍵動作ガイド７５の構成は図４の例と同一である。
【００６３】
また、図４（ａ）〜（ｄ）の例では、「潤滑剤避け機構部」である凸状嵌合部４７は鍵ベース体４０と一体に形成された。しかし、図５の変形例Ｉでは、凸状嵌合部４７に相当する潤滑剤避け機構部５１が、上板体４８と一体に形成される。すなわち、上板体４８の垂下部基端部５１Ｕと、垂下部基端部５１Ｕから下方に垂設される垂下部５１Ａ、５１Ｂとで、潤滑剤避け機構部５１が構成され、潤滑剤避け機構部５１の内側に、鍵動作ガイド７５と摺接する凹部５１ａが形成される。潤滑剤避け機構部５１により、鍵動作ガイド７５に付着している潤滑剤から木質部５２が遮断される。
【００６４】
従って、図５に示す変形例Ｉによっても、図４の例と同様の効果を奏することができる。
【００６５】
（第２の実施の形態）
次に、本発明の第２の実施の形態を説明する。図６は、本発明の第２の実施の形態に係る鍵構造体を含む鍵盤装置の部分断面図である。一例として、本発明の第２の実施の形態の鍵構造体２００は、Ｂ鍵用として構成される。同図において、鍵構造体２００については右側面図が表されている。鍵構造体２００は、白鍵に適用されるが、黒鍵にも適用してもよい。なお、以降、本鍵盤装置や鍵構造体２００の奏者側を前方と呼称する。
【００６６】
鍵構造体２００は、鍵ベース体６８の上部に木製の木質部６７が固定され、さらに木質部６７に上板体１２３が固定されて成る。上板体１２３は、前部である前木口部材８１と、鍵操作面を提供する上板部６６とが合成樹脂で一体に形成されて成る。なお、前木口部材８１と上板部６６とは別体で構成してもよい。木質部６７は、長手方向において上板部６６とほぼ同じ長さを有し、上板部６６の下面に接着されると共に、木質部６７の先端６７ｂに前木口部材８１の後面が接着されている。
【００６７】
鍵ベース体６８は、長手方向において木質部６７とほぼ同じ長さに合成樹脂で一体に形成される。鍵ベース体６８の上部に、木質部６７の下面６７ａが接着される。また、鍵構造体２００は、鍵ベース体６８の後端部に設けられた回動支点１２６を中心として先端部が上下方向に回動自在になっている。
【００６８】
フレーム８２には、鍵復帰用バネ６９及び押鍵リミッタ８３等が設けられる。鍵復帰用バネ６９は、鍵構造体２００を常に上方に付勢し、押鍵された鍵構造体２００を元の非押鍵位置に復帰させる。押鍵リミッタ８３は、鍵構造体２００の先端部と当接して、鍵構造体２００の押鍵終了位置（下限である回動終了位置）を規制する。押鍵リミッタ８３は、その回動規制機能が最も適切に働くように、極力、鍵構造体２００の最先端部と当接するように配置され、具体的には、鍵ベース体６８の先端部６８ａ及び前木口部材８１の双方に対する下方に配置される。
【００６９】
前木口部材８１と鍵ベース体６８の先端部６８ａとの間には、長手方向における間隙ＣＬ１が設けられる。これにより、木質部６７が温度、湿度等の環境変化によって伸縮、変形しても、前木口部材８１と鍵ベース体６８とが干渉することがないので、前木口部材８１と鍵ベース体６８とが押し合うような現象が回避される。従って、前木口部材８１と木質部６７、あるいは鍵ベース体６８と木質部６７との剥離発生等、環境変化に起因する固定状態の悪化が防止され、鍵構造体２００の耐久性が確保される。間隙ＣＬ１は、木質部６７の伸縮、変形の量を考慮して最小限に設定される。
【００７０】
間隙ＣＬ１を確保した状態で、さらに、前木口部材８１を平面視コ字状（三方が囲まれる形状）に構成することで、前木口部材８１のみを手で持って鍵構造体２００の移動、取り付け、取り外し作業を行う際、前木口部材８１の破損防止に役立てることができる。
【００７１】
また、鍵ベース体６８の先端部６８ａはやや下方に突出しており、その下端６８ａａは、前木口部材８１の下端８１ａよりも下方に位置する。これにより、押鍵操作等で鍵構造体２００が下方に回動したとき、押鍵リミッタ８３には、鍵ベース体６８の先端部６８ａの下端６８ａａが当接するが、前木口部材８１の下端８１ａは当接することがない。これにより、押鍵終了時に、前木口部材８１に上方への外力が加わらないので、押鍵動作の繰り返しによる前木口部材８１と木質部６７との固定状態の悪化が防止され、鍵構造体２００の耐久性が確保される。一方、鍵構造体２００の押鍵終了位置は、下端６８ａａと押鍵リミッタ８３との当接で規制されることになるが、上記のように、間隙ＣＬ１は最小限（例えば、１ｍｍ程度）に設定されるので、押鍵リミッタ８３は、鍵構造体２００のほぼ最先端部と当接することができ、十分な回動規制機能が確保される。
【００７２】
また、前木口部材８１の下端８１ａよりも、木質部６７の最下部である下面６７ａの方が上方に位置するように、木質部６７が配されている。奏者側からは、前木口部材８１の下端８１ａより上方部分が見えないため、このように木質部６７を配することで、木質感を確保しつつ、木質部６７を構成する木材の無駄を少なくして有効利用が図られる結果、鍵構造体２００の小型、軽量化が図られる。
【００７３】
本実施の形態によれば、木質感を付与し、且つ適切な回動規制機能を確保しつつ、前木口部材８１乃至鍵ベース体６８と木質部６７との環境変化に起因する固定状態の悪化、及び、前木口部材８１と木質部６７との押鍵動作に起因する固定状態の悪化を回避して、耐久性を確保することができる。また、木質部６７の無駄を少なくして鍵構造体２００の小型、軽量化を図ることができる。
【００７４】
なお、押鍵リミッタ８３は、通常の押鍵による鍵構造体２００の押鍵終了位置を規制するものに限定されず、強押鍵時や、鍵構造体２００に押鍵以外の強い外力が上方から加えられた場合等において、鍵構造体２００の回動終了位置を規制するものであってもよい。
【００７５】
〈第２の実施の形態の変形例〉
ところで、押鍵終了位置が規制される際に、押鍵リミッタ８３等の規制部材と前木口部材との当接を回避して、前木口部材と木質部との固定状態悪化を防止するという観点からは、上記図６の構成に限定されることはなく、例えば、図７に示す変形例II−１〜II−４、あるいは図８に示す変形例II−５のような構成であってもよい。
【００７６】
図７（ａ）〜（ｄ）は、本発明の第２の実施の形態の変形例II−１、II−２、II−３、II−４に係る鍵構造体の先端部の右側面図である。なお、図７（ａ）〜（ｃ）において、押鍵リミッタ８３の構成及び配置は図６に示すものと同様である。また、図７（ａ）〜（ｄ）において、図示しない構成部分は、図６に示す例と同様である。
【００７７】
同図（ａ）に示す変形例II−１では、前木口部材８５が短く、木質部８４の下面より前木口部材８５の下端８５ａの方が高い位置にある。鍵ベース体８６は、鍵ベース体６８の先端部６８ａのように下方に突出していないが、長手方向において、前木口部材８５の下端８５ａの位置まで延設されている。そして、前木口部材８５の下端８５ａより鍵ベース体８６の先端部下端８６ａの方が下方に位置する。
【００７８】
同図（ｂ）に示す変形例II−２では、前木口部材８８は変形例II−１と同様に短く、鍵ベース体８９は、長手方向において、木質部８４の先端位置まで延設される。そして、前木口部材８８の下端８８ａより鍵ベース体８９の先端部下端８９ａの方が下方に位置する。
【００７９】
同図（ｃ）に示す変形例II−３では、前木口部材９１が木質部８４の下端まで延設される。鍵ベース体９２は、長手方向において、木質部８４の先端位置まで延設される。そして、前木口部材９１の下端９１ａより鍵ベース体９２の先端部下端９２ａの方が下方に位置する。
【００８０】
変形例II−１〜II−３のいずれの場合も、押鍵動作時において、前木口部材８５、８８、９１は、押鍵リミッタ８３に対して当接しないので、押鍵動作の繰り返しによる木質部８４との固定状態の悪化が防止される。
【００８１】
同図（ｄ）に示す変形例II−４では、押鍵リミッタの構成のみが図６の例と異なる。すなわち、押鍵リミッタ１８３は、鍵ベース体６８の先端部６８ａの直下に配置され、前木口部材８１は、押鍵リミッタ１８３の前端位置よりも前方に位置する。従って、押鍵操作等で鍵構造体２００が下方に回動したとき、押鍵リミッタ１８３に鍵ベース体６８の先端部６８ａの下端６８ａａが当接する点では図６の例と同様であるが、さらに、強押鍵時等、鍵構造体２００に非常に強い力が加わったような場合であっても、下端６８ａａは押鍵リミッタ１８３に絶対に当接しない。
【００８２】
これにより、非常の操作状態に対しても、前木口部材８１と木質部６７との固定状態の悪化が確実に防止され、鍵構造体２００の耐久性が確保される。
【００８３】
図８は、本発明の第２の実施の形態の変形例II−５に係る鍵構造体の先端部の右側面図である。図示しない構成部分は、図６に示す例と同様である。
【００８４】
本変形例II−５の鍵構造体３００は、図６に示す鍵構造体２００と同様に、鍵ベース体９７の上部に木製の木質部９５が固定され、さらに、前木口部材９６と上板部９４とで構成される上板体１２４が、木質部９５に固定されて成る。押鍵リミッタ８３の構成及び配置は図６に示すものと同様である。
【００８５】
木質部９５の先端９５ｂは、鍵ベース体９７の先端９７ａよりも奏者側方向（前方）に位置することで、木質部９５の先端部下面９５ａが露出している。また、上板体１２４の前木口部材９６の下端９６ａよりも、木質部９５の先端部下面９５ａの方が下方に位置する。これにより、押鍵動作時において、鍵構造体３００の押鍵終了位置は、木質部９５の露出した先端部下面９５ａと押鍵リミッタ８３との当接で規定され、前木口部材９６と押鍵リミッタ８３との当接は回避されるので、押鍵動作の繰り返しによる前木口部材９６と木質部９５との固定状態の悪化が防止される。
【００８６】
これらの変形例によれば、適切な回動規制機能を確保しつつ、押鍵動作に起因する前木口部材と木質部との固定状態の悪化を回避して耐久性を向上させる点で、図６に示す例の構成と同様の効果を奏することができる。また、特に、変形例II−１、II−２、II−５では、前木口部材８５、８８、９６と鍵ベース体８６、８９、９７とが接していないので、環境変化に起因する固定状態の悪化防止についても同様の効果が期待できる。
【００８７】
第２の実施の形態においては、前木口部材８１乃至鍵ベース体６８と木質部６７との固定状態の悪化を回避することに着目したが、これに限るものではない。例えば、前木口部材８１が木質部６７及び鍵ベース体６８に対して固定されておらず、且つ上板部６６と木質部６７とが接着等で固定されている場合であっても、上記のような環境変化や押鍵動作に起因する上板部６６と木質部６７との固定状態の悪化を回避することができる。これにより、鍵構造体２００の先端部の故障を回避して、耐久性を確保することができる。
【００８８】
ところで、木質部の無駄を少なくして鍵構造体の小型、軽量化を図るという観点からは、木質部を配する態様について、上記図６の構成に限定されることはなく、例えば、図９に示す変形例II−６のような構成であってもよい。
【００８９】
図９は、本発明の第２の実施の形態の変形例II−６に係る鍵構造体の先端部の右側面図である。本変形例II−６の鍵構造体は、鍵ベース体１０１の上部に木製の木質部９９が固定され、さらに木質部９９に上板体１２７が固定されて成る。変形例II−６では、前木口部材９８の下端９８ａよりも、木質部９９の最下部である下面９９ｂの方が上方に位置するように、木質部９９が配されており、この点では、図６に示す例と同様である。
【００９０】
隣接する白鍵である鍵構造体が押鍵され、当該押鍵された隣接鍵が押鍵終了位置にあるとき、当該押鍵された隣接鍵の押鍵面位置（以下、「隣接鍵押鍵面位置」と称する）を「Ｌ２」で示す。側面視において、当該押鍵された隣接鍵の隣接鍵押鍵面位置Ｌ２と木質部９９の先端との交点を「Ｐ１」で示す。木質部９９の上面９９ａから前木口部材９８の下端９８ａまでの距離を「Ｈ３」、上面９９ａから口棒部上面１０２までの距離を「Ｈ４」、上面９９ａから交点Ｐ１までの距離を「Ｈ５」とする。
【００９１】
一般に、ピアノにおいて、前木口部材の下部は口棒部に隠れて見えないので、通常、Ｈ３＞Ｈ４が成立する。また、一般に、隣接鍵の先端は、押鍵時においても口棒部より下方にはいかないので、通常、Ｈ４＞Ｈ５が成立する。また、鍵構造体の側部において、上記隣接鍵押鍵面位置Ｌ２より下方は、演奏時に見えないので、木質部９９の存在により木質感を与えるためには、上記隣接鍵押鍵面位置Ｌ２より上方の領域に木質部９９を配すれば十分である。
【００９２】
これらのことから、木質部９９の最下部である下面９９ｂが水平であるとする場合は、下面９９ｂが交点Ｐ１より高くない範囲で極力上方にあるのが望ましい。従って、図９に示すように、下面９９ｂが交点Ｐ１よりやや低い位置となるよう、木質部９９が配されている。
【００９３】
この変形例II−６によれば、木質感を付与すると共に、木材の無駄を一層効率よく少なくして鍵構造体の小型、軽量化を最大限に図ることができる。
【００９４】
なお、変形例II−６において、下面９９ｂを、上記隣接鍵押鍵面位置Ｌ２より下方において上記隣接鍵押鍵面位置Ｌ２に略平行に形成してもよい。
【００９５】
なお、木質部の無駄を少なくするという観点に限定すれば、木質部９９を固定保持する保持部材としては上板体１２７のみでもよく、鍵ベース体１０１は保持部材としては不要である。
【００９６】
（第３の実施の形態）
次に、本発明の第３の実施の形態を説明する。図１０は、第３の実施の形態に係る鍵構造体を含む鍵盤装置の部分断面図である。一例として、本発明の第３の実施の形態の鍵構造体４００は、Ｂ鍵用として構成される。同図において、鍵構造体４００については右側面図が表されている。鍵構造体４００は、白鍵に適用されるが、黒鍵にも適用してもよい。なお、以降、本鍵盤装置や鍵構造体４００の奏者側を前方と呼称する。
【００９７】
鍵構造体４００は、鍵ベース体５５の上部に木製の木質部５４が固定され、さらに木質部５４に上板体１２５が固定されて成る。上板体１２５は、前部である前木口部材１２８と、鍵操作面を提供する上板部５３とが合成樹脂で一体に形成されて成る。上板体１２５と鍵ベース体５５とで、木質部５４を保持する「保持部材」が構成される。なお、前木口部材１２８と上板部５３とは別体で構成してもよい。木質部５４は、長手方向において上板部５３とほぼ同じ長さを有し、上板部５３の下面及び前木口部材１２８の後面に接着されている。
【００９８】
鍵ベース体５５は、長手方向において木質部５４とほぼ同じ長さに合成樹脂で形成され、鍵ベース体５５の上部に、木質部５４の下面が接着される。また、鍵構造体４００は、木質部５４の後端部に設けられた回動支点２１を中心として先端部が上下方向に回動自在になっている。
【００９９】
鍵構造体４００の上方においてパネル部７６が設けられている。パネル部７６は、不図示の各種操作子や表示部を備えると共に、それより後方部分を目隠しする目隠し部としての役割も果たしている。従って、長手方向における鍵構造体４００の奏者側端部から回動支点２１までの間においては、パネル部７６より前方部分が、演奏時及び非演奏時に外観となって視認される「見えがかり部位Ｒ１」であり、パネル部７６より後方部分が、「非見えがかり部位Ｒ２」である。
【０１００】
また、フレーム５６の上面５６ａには、機能部としての鍵復帰用バネ５７等が設けられる。鍵復帰用バネ５７は、鍵構造体４００を常に上方に付勢し、押鍵された鍵構造体４００を元の非押鍵位置に復帰させる。鍵復帰用バネ５７は、鍵構造体４００の後端部に設けられた逃がし部５８内に収容される。
【０１０１】
すなわち、非見えがかり部位Ｒ２において、鍵構造体４００の後端部に対応する木質部５４の部分には、逃げ部５４ａが形成され、この逃げ部５４ａに沿って、鍵ベース体５５にも逃げ部５５ａが形成されることで、逃がし部５８が構成されている。鍵復帰用バネ５７は、逃げ部５５ａの下面とフレーム５６の上面５６ａとの間に係止されている。ここで、鍵復帰用バネ５７は、所定の状態（例えば、押鍵途中状態）において長さＨ２程度であるのが適正状態であるとする。同図の例では、逃げ部５５ａの下面とフレーム５６の上面５６ａとの間隔がＨ２であるので、鍵復帰用バネ５７が適切に装着されている。
【０１０２】
ところが、仮に、逃がし部５８が設けられておらず、鍵ベース体５５の下面が一様に水平であるとすると、鍵復帰用バネ５７が装着される距離がＨ１となり、このままでは実装スペースが不足する。従って、鍵構造体４００をフレーム５６に対して上方に離間させ、距離Ｈ２が確保されるように設計しなければならない。
【０１０３】
よって、図１０に示すように、逃がし部５８を設けたことで、鍵復帰用バネ５７を実装する際、フレーム５６と鍵構造体４００との間隔を短く設定できるので、上下方向の省スペースが図られる。さらに、逃がし部５８の逃がし量の分だけ、木質部５４の無駄が少なくなって鍵盤装置が軽量化される。しかも、逃がし部５８は、非見えがかり部位Ｒ２に設けられるので、木質感は良好に確保される。
【０１０４】
なお、逃がし部５８に相当する逃がし部に収容される機能部としては、鍵復帰用バネ５７に限定されない。少なくとも鍵動作を実現するための機能部であればよく、例えば、鍵スイッチアクチュエータ、質量体駆動部、鍵抜け止め部材のほか、鍵及びハンマをそれぞれの回動支点に押しつける側面視Ｓ字状バネ、さらには、センサ部、検知部等が考えられる。特に、Ｓ字状バネのように、長手方向に長い機能部を実装する際には、上下方向のスペース上の制約が少なくなることで、長手方向の省スペースにも繋がる。
【０１０５】
本実施の形態によれば、木質感を付与しつつ鍵盤装置の小型、軽量化を図ることができる。
【０１０６】
なお、第３の実施の形態では、木質部を固定的に保持する保持部材が、別体の上板体１２５及び鍵ベース体５５で構成されるものを示したが、これに限るものでなく、木質部が上板体のみに保持される構成、あるいは上板体と鍵ベース体とが一体に形成されて構成された保持部材に木質部が保持される構成にも本発明を適用可能である。
【０１０７】
（第４の実施の形態）
図１１は、本発明の第４の実施の形態に係る鍵構造体を含む鍵盤装置の部分断面図である。本発明の第４の実施の形態では、上記した第３の実施の形態に対し、鍵構造体の逃がし部の形状が異なり、そのため、木質部及び鍵ベース体の形状が異なる。その他の構成は、第３の実施の形態と同様である。
【０１０８】
図１１に示すように、本発明の第４の実施の形態の鍵構造体５００は、鍵ベース体６３の上部に木製の木質部６２が固定され、さらに木質部６２に上板体１２５が固定されて成る。上板体１２５、フレーム５６、鍵復帰用バネ５７及びパネル部７６の構成は、第３の実施の形態のものと同様である。上板体１２５と鍵ベース体６３とで、木質部６２を保持する「保持部材」が構成される。
【０１０９】
同図において、隣接する白鍵である鍵構造体が押鍵され、当該押鍵された隣接鍵が押鍵終了位置にあるとき、当該押鍵された隣接鍵の押鍵面位置（以下、「隣接鍵押鍵面位置」と称する）を「Ｌ１」で示す。パネル部７６より前方部分における木質部６２の下面６２ａは、鍵構造体５００の先端部から後方にいくにつれて上方に傾斜している。この下面６２ａは、下面６２ａの長手方向の全範囲で、隣接鍵押鍵面位置Ｌ１より低い位置に設定され、且つ隣接鍵押鍵面位置Ｌ１に略平行である。これにより、木質感が確保されつつ木質部６２の無駄が効率よく排される。また、鍵ベース体６３の傾斜部６３ａは、木質部６２の下面６２ａに接着されており、同様の角度で傾斜している。
【０１１０】
これにより、鍵構造体５００の下方において、鍵ベース体６３の傾斜部６３ａから鍵構造体５００の後部にかけて、フレーム５６との間に大きいスペースである逃がし部６４が形成される。また、隣接鍵押鍵面位置Ｌ１より下方且つ後方の部位であって、パネル部７６より後方の部位が、非見えがかり部位であり、逃がし部６４は、この非見えがかり部位に形成されることになるので、外観に悪影響がなく、木質感は良好に確保される。
【０１１１】
そして、鍵復帰用バネ５７が、上記第３の実施の形態と同様に、逃がし部６４内に実装される。鍵復帰用バネ５７が係止される位置では、逃がし部６４の上下方向の長さ（高さ）は逃がし部５８と同じであり、従って、上記第３の実施の形態と同様に、上下方向の省スペースが図られる。さらに、逃がし部６４は、上記逃がし部５８（図１０参照）に比し大きいので、木質部６２の無駄が一層減少する。
【０１１２】
なお、逃がし部６４は、その十分な広さ及び高さを確保できることから、押離鍵検出センサ（鍵スイッチ、若しくは押鍵直後から鍵から指が離れるまでを検出する全行程センサ）を配することができる。
【０１１３】
本実施の形態によれば、木質感を付与しつつ鍵盤装置の小型、軽量化を図ることに関し、第３の実施の形態と同様の効果を奏するだけでなく、最小限の木質部にて良好な木質感を確保し、木質部を効率よく節約することができる。
【０１１４】
なお、逃がし部６４に収容される機能部としては、鍵復帰用バネ５７に限定されないことは、第３の実施の形態と同様である。
【０１１５】
なお、第１〜第４の実施の形態において、木質感付与の観点に限って言えば、木質部は木材でなくても、木質系材であればよく、例えば、木目調の化粧板（印刷、コート、塗装、つき板等も含む）、合板、木質材（ＭＤＦ）等を採用してもよい。
【符号の説明】
【０１１６】
１００、２００、３００、４００、５００  鍵構造体、  ２１  回動支点、  ４７  凸状嵌合部、  ４７ａ  凹部、  ４１  回動支点、  ５０  上板部、  ５０ｈ  幅広部、  ５４、６０、６２、６７、９５  木質部、  ５５  鍵ベース体（保持部材の一部）、  ５７  鍵復帰用バネ（機能部）、  ５８  逃がし部、  ６０ｈ  幅広部、  ６２ａ  下面、  ６３  鍵ベース体（保持部材の一部）、  ６３ａ  傾斜部、  ６４  逃がし部、  ６７ａ  下面、  ６７ｂ  先端、  ６８  鍵ベース体、  ６８ａ  先端部、  ６８ａａ  下端、  ７５  鍵動作ガイド（機能部）、  ８１  前木口部材、  ８１ａ  下端、  ８３  押鍵リミッタ、  ９５ａ  先端部下面、  ９５ｂ  先端、  ９６  前木口部材、  ９６ａ  下端、  ９７  鍵ベース体、  ９７ａ  先端、  １２１  凹状逃げ部、  １２５  上板体（保持部材の一部）、  １２８  前木口部材（奏者側端部）、  Ｌ１、Ｌ２  隣接鍵押鍵面位置、  Ｗ０  幅、  Ｂ０  幅、  ＣＬ１  間隙、  Ｒ２  非見えがかり部位
【図８】
2010009077.tif 000003
【図９】
2010009077.tif 000004
【図１】
2010009077.tif 000005
【図２】
2010009077.tif 000006
【図３】
2010009077.tif 000007
【図４】
2010009077.tif 000008
【図５】
2010009077.tif 000009
【図６】
2010009077.tif 000010
【図７】
2010009077.tif 000011
【図１０】
2010009077.tif 000012
【図１１】
2010009077.tif 000013